(57)【要約】  本明細書においては、バックオフパラメータとピーク補償パラメータとを記憶して、具体的な送信設定に関連するそのバックオフパラメータとピーク補償パラメータとに対する高速アクセスを提供するための効率のよい方法が記述される。長期間記憶可能メモリは複数の異なる送信設定に対する増幅器パラメータを記憶する。選択部は、長期間記憶可能メモリから、送信設定の選択されたサブセットに対応する増幅器パラメータのグラフを選択する。選択したグラフは、複数のエンハンスドデータチャネル利得比のそれぞれを、対応する増幅器パラメータに関連づける。選択部は、選択したグラフを長期間記憶可能メモリから、ＤＳＰに最も近接して置かれた高速メモリに転送する。さらに、選択部は、必要に応じて、新しいグラフを再び選択して高速メモリに転送する。
2010534991.tif 000002
【特許請求の範囲】
【請求項１】
電力増幅器のパラメータをモバイルデバイスが備えるプロセッサに供給する方法であって、
複数の送信設定について特有の設定をされた電力増幅器パラメータのセットを第１メモリに記憶する記憶ステップと、
前記送信設定のうち選択された送信設定のサブセットに対応した前記特有の設定をされた電力増幅器パラメータを示すグラフを前記第１メモリから選択する選択ステップと、
前記選択されたグラフを、前記第１メモリから前記プロセッサに近接して配置された第２メモリに転送する転送ステップと
を有し、
前記選択されたグラフは、前記特有の設定をされた電力増幅器パラメータに対応した複数のエンハンスドデータチャネル利得比のそれぞれに関連付けられているグラフであることを特徴とする方法。
【請求項２】
前記記憶ステップは、
複数の送信設定について特有のグラフを複数の圧縮されたテーブルに格納する格納ステップを含み、前記複数の送信設定について特有のグラフのそれぞれが、前記特有の設定をされた電力増幅器パラメータに対応した複数のエンハンスドデータチャネル利得比のそれぞれに関連付けられているグラフであることを特徴とする請求項１に記載の方法。
【請求項３】
前記複数の圧縮されたテーブルのそれぞれが、送信設定パラメータの共通のセットに対応したグラフを格納していることを特徴とする請求項２に記載の方法。
【請求項４】
前記送信設定パラメータの共通のセットには、エンハンスドアップリンクチャネルの設定状態、高速制御チャネルの設定状態および専用物理データチャネルの設定状態が含まれていることを特徴とする請求項３に記載の方法。
【請求項５】
前記選択ステップは、
送信設定パラメータの現時点における共通のセットに基づいて前記第１メモリからテーブルを選択するステップと、
前記選択された送信設定のサブセットに基づいて前記選択されたテーブルについてのアドレスを算出するステップと、
前記選択されたテーブルから前記算出されたアドレスにある前記グラフを抽出するステップと
を含むことを特徴とする請求項３に記載の方法。
【請求項６】
前記第１メモリに記憶されている複数の送信設定について特有の設定をされた電力増幅器パラメータのセットには、増幅器についての最大電力のバックオフ値を定義したバックオフパラメータのセットが含まれていることを特徴とする請求項１に記載の方法。
【請求項７】
前記第１メモリに記憶されている複数の送信設定について特有の設定をされた電力増幅器パラメータのセットには、電力検出器についてのバイアス補償値を定義したピーク補償パラメータのセットが含まれていることを特徴とする請求項１に記載の方法。
【請求項８】
モバイルデバイスであって、
複数の送信設定について特有の設定をされた電力増幅器パラメータのセットを記憶する第１メモリと、
前記送信設定のうち選択された送信設定のサブセットに対応した前記特有の設定をされた電力増幅器パラメータを示すグラフを前記第１メモリから選択するコントローラと、
前記コントローラに近接して配置され、前記選択されたグラフを前記第１メモリから受信する第２メモリと、
前記選択されたグラフからの前記特有の設定をされた電力増幅器パラメータに基づいて電力増幅器を制御する無線制御部と
を備え、前記選択されたグラフは、前記特有の設定をされた電力増幅器パラメータに対応した複数のエンハンスドデータチャネル利得比のそれぞれに関連付けられているグラフであることを特徴とするモバイルデバイス。
【請求項９】
前記第１メモリは、複数の送信設定について特有のグラフを複数の圧縮されたテーブルに格納することによって、前記複数の送信設定について特有の設定をされた電力増幅器パラメータのセットを記憶するメモリであり、前記複数の送信設定について特有のグラフのそれぞれが、前記特有の設定をされた電力増幅器パラメータに対応した複数のエンハンスドデータチャネル利得比のそれぞれに関連付けられているグラフであることを特徴とする請求項８に記載のモバイルデバイス。
【請求項１０】
前記複数の圧縮されたテーブルのそれぞれが、送信設定パラメータの共通のセットに対応したグラフを格納していることを特徴とする請求項９に記載のモバイルデバイス。
【請求項１１】
前記送信設定パラメータの共通のセットには、エンハンスドアップリンクチャネルの設定状態、高速制御チャネルの設定状態および専用物理データチャネルの設定状態が含まれていることを特徴とする請求項１０に記載のモバイルデバイス。
【請求項１２】
送信設定パラメータの現時点における共通のセットに基づいて前記第１メモリからテーブルを選択し、
前記選択された送信設定のサブセットに基づいて前記選択されたテーブルについてのアドレスを算出し、
前記選択されたテーブルから前記算出されたアドレスにある前記グラフを抽出する選択部をさらに備えることを特徴とする請求項１０に記載のモバイルデバイス。
【請求項１３】
前記第１メモリに記憶されている複数の送信設定について特有の設定をされた電力増幅器パラメータのセットには、増幅器についての最大電力のバックオフ値を定義したバックオフパラメータのセットが含まれていることを特徴とする請求項８に記載のモバイルデバイス。
【請求項１４】
前記第１メモリに記憶されている複数の送信設定について特有の設定をされた電力増幅器パラメータのセットには、電力検出器についてのバイアス補償値を定義したピーク補償パラメータのセットが含まれていることを特徴とする請求項８に記載のモバイルデバイス。
【請求項１５】
コンピュータ可読記憶媒体であって、
複数の送信設定について特有の設定をされた電力増幅器パラメータのセットを第１メモリに記憶する記憶ステップと、
前記送信設定のうち選択された送信設定のサブセットに対応した前記特有の設定をされた電力増幅器パラメータを示すグラフを前記第１メモリから選択する選択ステップと、
前記選択されたグラフを、前記第１メモリからプロセッサに近接して配置された第２メモリに転送する転送ステップと
をコンピュータに実行させるコンピュータプログラムを記憶しており、
前記選択されたグラフは、前記特有の設定をされた電力増幅器パラメータに対応した複数のエンハンスドデータチャネル利得比のそれぞれに関連付けられているグラフであることを特徴とするコンピュータ可読記憶媒体。
【請求項１６】
前記記憶ステップは、複数の送信設定について特有のグラフを複数の圧縮されたテーブルに格納する格納ステップを含み、前記複数の送信設定について特有のグラフのそれぞれが、前記特有の設定をされた電力増幅器パラメータに対応した複数のエンハンスドデータチャネル利得比のそれぞれに関連付けられているグラフであることを特徴とする請求項１５に記載のコンピュータ可読記憶媒体。
【請求項１７】
無線通信についての電力増幅器パラメータを供給する装置であって、
複数の送信設定について特有の設定をされた電力増幅器パラメータのセットを記憶する第１メモリと、
前記送信設定のうち選択された送信設定のサブセットに対応した前記特有の設定をされた電力増幅器パラメータを示すグラフを前記第１メモリから選択するコントローラと、
前記コントローラに近接して配置され、前記選択されたグラフを前記第１メモリから受信する第２メモリと
を備え、前記選択されたグラフは、前記特有の設定をされた電力増幅器パラメータに対応した複数のエンハンスドデータチャネル利得比のそれぞれに関連付けられているグラフであることを特徴とする装置。
【請求項１８】
前記第１メモリは、複数の送信設定について特有のグラフを複数の圧縮されたテーブルに格納することによって、前記複数の送信設定について特有の設定をされた電力増幅器パラメータのセットを記憶するメモリであり、前記複数の送信設定について特有のグラフのそれぞれが、前記特有の設定をされた電力増幅器パラメータに対応した複数のエンハンスドデータチャネル利得比のそれぞれに関連付けられているグラフであることを特徴とする請求項１７に記載の装置。
【発明の詳細な説明】
【技術分野】
【０００１】
本発明は、バックオフ値とピーク補償値との効率よい記憶方法に関する。
【背景技術】
【０００２】
移動（モバイル）デバイスは送受信機が備える電力増幅器を使用して送信信号の増幅を行う。バックオフパラメータとクレストコンペンセーション（ピーク補償）パラメータとを含む、電力増幅器の設定は、その時の送信設定に依存する。バックオフパラメータは、電力増幅器の非線形性に基づいて、その時の送信設定に対する増幅器電力の最大値から低減量を表している。ピーク補償パラメータは、電力増幅器の電力検出器に対するバイアス補正値を表し、電力検出器の出力を補正して真のＲＭＳ電力値を得るために使用される。典型的に、移動デバイスは、それぞれの送信設定に適用可能なバックオフパラメータとピーク補償パラメータとをメモリの中に記憶する。送信設定が変化したときには、移動デバイスが、新しい送信設定に基づいてメモリから新しいバックオフパラメータとピーク補償パラメータとを検索して抽出する。
【発明の概要】
【発明が解決しようとする課題】
【０００３】
第３世代パートナーシップ・プロジェクト（３ＧＰＰ）リリース６（Ｒｅｌ−６）は、エンハンスドアップリンク（拡張アップリンク）の機能を含む新世代の移動デバイスを導入している。リリース６では、アップリンクの個別物理データチャネル（ＤＰＤＣＨ：Ｄｅｄｉｃａｔｅｄ  Ｐｈｙｓｉｃａｌ  Ｄａｔａ  Ｃｈａｎｅｌ）、高速ダウンリンクパケットアクセスチャネル（ＨＳＤＰＡ：Ｈｉｇｈ  Ｓｐｅｅｄ  Ｄｏｗｎｌｉｎｋ  Ｐａｃｋｅｔ  Ａｃｃｅｓｓ  Ｃｈａｎｎｅｌ）、ＨＳＤＰＡ個別物理制御チャネル（ＨＳ−ＤＰＣＣＨ：ＨＳＤＰＡ  Ｄｅｄｉｃａｔｅｄ  Ｐｈｙｓｉｃａｌ  Ｃｏｎｔｒｏｌ  Ｃｈａｎｎｅｌ）、および、エンハンスドアップリンクチャネルを同時に送信することができ、それぞれのチャネルは、ゲイン（利得）ファクタの利得比（ＧＲ：ｇａｉｎ  ｒａｔｉｏ）の異なる値に対応する。設定されたチャネルの数とタイプに基づいて、送受信機は約３２０，０００の異なる送信設定を有する。新世代の移動デバイスに関連する多くの数の送信設定は、移動デバイスの中に記憶するべき多くの数のバックオフパラメータとピーク補償パラメータとを必要とする。さらに、エンハンスドアップリンクチャネルを設定するときには、電力増幅器はスロットごとを基本としてバックオフパラメータとピーク補償パラメータとにアクセスする必要が生ずる場合がある。このような高速のアクセスによって、バックオフパラメータとピーク補償パラメータとを記憶するのに使用されるメモリは、移動デバイスプロセッサに最も近接して置かれた高速メモリを備えることが必要になる。全ての可能な送信設定に対するバックオフパラメータとピーク補償パラメータとに対する十分なストレッジを有する高速メモリは、非常に大きくかつ非常に高価になるので、新世代移動デバイスにおいては、バックオフパラメータとバイアス補正パラメータとを効率よく記憶するとともに、効率よくアクセスするための、改善された技術が必要になる。
【課題を解決するための手段】
【０００４】
本発明は、バックオフパラメータとピーク補償パラメータとを効率よく記憶するとともに、個別の送信設定に関連するバックオフパラメータとピーク補償パラメータとに対して高速にアクセスする方法を提供するものである。本発明はさらに、バックオフパラメータとピーク補償パラメータとを記憶するためのメモリに対する要求条件を低減するものである。
【０００５】
さらに具体的には、設定に特化した電力増幅器パラメータは、複数の異なる送信設定に対して永久メモリの中に記憶される。選択部は、選択された送信設定のサブセットに対応して、永久または半永久長期間記憶可能メモリの中から、設定に特化した電力増幅器パラメータのグラフを選択する。選択されたグラフは、複数のエンハンスドデータチャネルのそれぞれの利得比を、それに対応した、設定に特化した電力増幅器パラメータに関連づける。選択部は、選択したグラフを、長期間記憶可能メモリからプロセッサに最も近接して置かれた高速メモリに転送する。選択部はさらに、必要に応じて、新しいグラフを再び選択してそれを高速メモリに転送する。その結果、本発明により、全ての送信設定に対するバックオフパラメータとピーク補償パラメータとを移動デバイスの長期間記憶可能メモリの中に記憶するとともに、高価でかつ大きさで制約される、プロセッサに最も近接して置かれた高速メモリに対する要求条件を限定することができる。
【０００６】
１つの実施形態においては、第１のメモリは複数のグラフをテーブルの中に記憶し、それぞれのグラフは、複数のエンハンスドデータチャネルのそれぞれの利得比を、それに対応した、設定に特化した電力増幅器パラメータに関連づける。テーブルに格納された１つ以上のグラフの中のヌル（ｎｕｌｌ）空間を取り除くことにより、テーブルは圧縮されて、長期間記憶可能メモリに対する記憶要求条件を低減することができる。
【図面の簡単な説明】
【０００７】
【図１】本発明の典型的な実施形態に従った移動デバイスのブロック図である。
【図２Ａ】、
【図２Ｂ】本発明に従った、それぞれ、バックオフパラメータとピーク補償パラメータの典型的なグラフを示す図である。
【図３】送信設定パラメータの共通セットに関連する送受信機合成に対するブロック図である。
【図４】送信設定パラメータの共通セットに関連する別の送受信機合成に対するブロック図である。
【図５】送信設定パラメータの共通セットに関連する別の送受信機合成に対するブロック図である。
【図６】送信設定パラメータの共通セットに関連する別の送受信機合成に対するブロック図である。
【図７】送信設定パラメータの共通セットに関連する別の送受信機合成に対するブロック図である。
【図８】送信設定パラメータの共通セットに関連する別の送受信機合成に対するブロック図である。
【発明を実施するための形態】
【０００８】
３ＧＰＰＲｅｌ−６によって導入される新世代の移動デバイスは、エンハンスドアップリンク機能を含む。Ｒｅｌ−６では、アップリンクのＤＰＣＣＨ、ＤＰＤＣＨ、ＨＳ−ＤＰＣＣＨ、および、エンハンスドアップリンクチャネル（Ｅ−ＤＰＣＣＨおよびＥ−ＤＰＤＣＨ）を同時に送信することができ、それぞれのチャネルは異なる利得比（ＧＲ）に対応している。設定されたチャネルの数と型に基づいて、移動デバイスの中の送受信機は、約３２０，０００の異なる送信設定を有する。
【０００９】
表１は、本発明に従った、新世代移動デバイスに対する可能な送信設定の数を示す。それぞれの送信設定は、設定されたそれぞれのチャネルに対する異なるＧＲに関連する。表２は、それぞれのアップリンクチャネルに対して、利得比（ＧＲ）を定義する利得ファクタ（β）と送信設定の数との関係を示す。それぞれの送信設定に対するバックオフパラメータとピーク補償パラメータとは、その時の送信設定に対応する利得比に基づいて決定される。
【００１０】
【表１】
2010534991.tif 000003
【００１１】
【表２】
2010534991.tif 000004
【００１２】
表１の第１行によって示されている、設定されたチャネルに対する可能な送信設定の数は、ＤＰＤＣＨチャネルに対する可能な利得比の数３０、Ｅ−ＤＰＤＣＨに対する可能な利得比の数３１、および、Ｅ−ＤＰＣＣＨチャネルに対する可能な利得比の数１０に基づいている（３０＊３１＊１０＝９，３００）。同様に、表１の第２行によって示されている、設定されたチャネルに対する可能な送信設定の数は、ＤＰＤＣＨチャネルに対する可能な利得比の数３０、ＨＳ−ＤＰＣＣＨチャネルに対する可能な利得比の数１０、Ｅ−ＤＰＤＣＨに対する可能な利得比の数３１、および、Ｅ−ＤＰＣＣＨチャネルに対する可能な利得比の数１０に基づいている（３０＊１０＊３１＊１０＝９３，０００）。それぞれの行から得られる送信設定の全ての合計は、上記で議論した送信設定の総数３１９，６００になる。
【００１３】
その時の送信設定が、設定されたＤＰＤＣＨおよびＥ−ＤＰＣＣＨを含む場合には、それに対応する利得比（ＧＲｄおよびＧＲｅｃ）は、１つの送信時間区間の間に決定されてその送信時間区間の間は固定される。典型的な送信時間区間は、ＤＰＤＣＨに対しては１０ｍｓ、２０ｍｓ、４０ｍｓ、および８０ｍｓを含み、Ｅ−ＤＰＤＣＨに対しては２ｍｓおよび１０ｍｓを含む。しかしながら、その時の送信設定が、設定されたＥ−ＤＰＤＣＨを含む場合には、Ｅ−ＤＰＤＣＨに対する利得比（ＧＲｅｄ）は、アップリンクが電力制限のある状況では、スロットごとを基本として変化する可能性がある。結果として、バックオフパラメータとピーク補償パラメータもまた、スロットごとを基本として変化させる必要がある。従って、その時の送信設定がＥ−ＤＰＤＣＨを含む場合には、電力増幅器に適切なバックオフパラメータとピーク補償パラメータとを与えることに関連するタイミングが決定的に重要になる。全てのバックオフパラメータとピーク補償パラメータとを、ランダムアクセスメモリまたはフラッシュメモリ等の、移動デバイスの中のプロセッサに最も近接して置かれた高速メモリの中に記憶することにより、この課題を解決することができる。これにより、プロセッサは、その時の送信設定に対する適切なバックオフパラメータとピーク補償パラメータとをスロットごとを基本として選択することができる。しかしながら、可能性のある全てのバックオフパラメータとピーク補償パラメータとを記憶するための十分な速度と大きさとを持つ高速メモリデバイスは、非常に大きくなり、かつ非常に高価である。
【００１４】
本発明は、電力増幅器パラメータを記憶するための有効な方法を提供する。一般的に言って、本発明は、可能性のある全ての送信設定に関するバックオフパラメータとピーク補償パラメータとを長期間記憶可能メモリの中に記憶し、そして、複数のバックオフパラメータとピーク補償パラメータとを選択して、それらを小さなしかし高速な、移動デバイスのプロセッサの中の、またはプロセッサに最も近接して置かれたメモリに転送するものである。これは選択した送信設定のサブセットを基本にして行われる。従って、本発明は、高速メモリの記憶装置への要求条件を大幅に低減するものであるが、それでなお、移動デバイスの中に全てのバックオフパラメータとピーク補償パラメータとを記憶することができる。
【００１５】
図１は、典型的な実施形態に従った典型的な移動デバイス１０を示す。移動デバイス１０は、メモリ２０、制御装置３０、および、送受信機４０を備える。メモリ２０は、電力増幅器パラメータを記憶する長期間記憶可能メモリを備え、それぞれの送信設定に対するピーク補償パラメータとバックオフパラメータとを含む。１つの実施形態においては、メモリ２０は、複数のピーク補償パラメータとバックオフパラメータとを、異なる送信設定のサブセットに基づいて異なるグラフに分類することができる。ここで、ＤＰＤＣＨ、ＨＳ−ＤＰＣＣＨ、およびＥ−ＤＰＣＣＨに対する利得比は、送信設定のそれぞれのサブセットに対して一定であるが、Ｅ−ＤＰＤＣＨに対する利得比は変化することがある。この実施形態においては、メモリ２０の中に記憶されるグラフは、Ｅ−ＤＰＤＣＨに対して可能性のある３１の利得比のそれぞれを、送信設定の所与のサブセットに対応するバックオフパラメータとピーク補償パラメータとに関連づける。図２ａおよび図２ｂはそれぞれ、送信設定のある特定なサブセットに対する利得比に関連するバックオフパラメータとピーク補償パラメータの典型的なグラフを示す。
【００１６】
制御装置３０は、選択部３２とディジタル信号処理装置（ＤＳＰ）３４とを備える。選択部３２は、メモリ２０からピーク補償パラメータとバックオフパラメータとのグラフを選択し、選択したグラフをＤＳＰ３４の中の高速メモリ（例えばＲＡＭ）の中に記憶する。ＤＳＰ３４の中のパラメータ選択器３８は、その時のスロットに対する、送信設定のその時のサブセットとその時のＧＲｅｄとに基づいて、高速メモリ３６の中に記憶されているグラフから、その時のスロットに対して適切なピーク補償パラメータとバックオフパラメータとを選択し、選択したピーク補償パラメータとバックオフパラメータとを送受信機４０に提供する。送受信機４０の中の無線制御装置４２は、電力増幅器４６および電力検出器４８を備える増幅器４４を、選択したピーク補償パラメータとバックオフパラメータとに基づいて制御する。高速メモリ３６はＤＳＰ３４の一部として示されているが、高速メモリ３６は、ＤＳＰ３４に最も近接して設置するが、ＤＳＰ３４からは切り離すことができると理解されるであろう。さらに、本発明はピーク補償パラメータとバックオフパラメータの単一のグラフを選択することとして記述されているが、選択部は、複数のクレストコンプのグラフとバックオフのグラフとを選択し、それら選択したグラフを高速メモリ３６の中に記憶することもできると理解されるであろう。
【００１７】
高速メモリ３６は送信設定のその時のサブセットに対して１つだけのグラフを記憶するので、高速メモリ３６に対する記憶装置への要求条件は低減される。グラフは必要に応じて高速メモリ３６に入出力される。３ビットがバックオフパラメータのために使用され、７ビットがピーク補償パラメータのために使用される場合には、メモリ３６は４０バイトのデータ（３１個のバックオフパラメータに対する１２バイトと３１個のピーク補償パラメータに対する２８バイト）を記憶するのに十分な大きさでなければならない。
【００１８】
代替的実施形態においては、メモリ２０は、グラフを、圧縮した別々のピーク補償テーブル２２、およびバックオフテーブル２４にさらに分類し、メモリ２０に対するメモリ要求条件を低減することができる。送信設定パラメータの共通セットに対応するグラフは、同じテーブルの中に格納することができる。１つの例では、送信設定パラメータの共通セットは、エンハンスドアップリンクチャネルの設定状態（Ｃｅ）、ＨＳ−ＤＰＣＣＨの設定状態（Ｃｈｓ）、および、ＤＰＤＣＨとＤＰＣＣＨとの設定状態（Ｃｄ）に基づいて定義することができる。Ｃｄは、ＤＰＣＣＨが設定されているか、またはＤＰＣＣＨおよびＤＰＤＣＨがともに設定されているかによって、それぞれ、０または１であり、ＣｈｓはＨＳ−ＤＰＣＣＨが設定されているか否かによって、１または０であり、Ｃｅはエンハンスドアップリンクチャネルが設定されているか否かによって、１または０である。従って、送信設定パラメータの可能な組み合わせは８通りある。Ｃｄ＝０、Ｃｈｓ＝０、かつＣｅ＝０という状況は不適切であり、Ｃｄ＝０、Ｃｈｓ＝１、かつＣｅ＝０は正当でない組み合わせであるので、これら送信設定の正当な組み合わせは６通りだけである。これらを表３に示す。
【００１９】
【表３】
2010534991.tif 000005
【００２０】
図３〜８は、それぞれ、組み合わせ１〜６に対して設定されたそれぞれのチャネルに対する送受信機入力信号を示す。図３〜８において、ＣＣＣはＤＰＣＣＨに対するチャネライゼーション符号を表し、ＣＣｄはＤＰＤＣＨに対するチャネライゼーション符号を表し、ＣＣｈｓはＨＳ−ＤＰＣＣＨに対するチャネライゼーション符号を表し、ＣＣｅｄ，ｎはＥ−ＤＰＤＣＨに対するｎ番目のチャネライゼーション符号を表し、ｊは複素数演算子を表し、Ｅｋは送信電力の減衰変数を表し、ｇは増幅器利得を表す。ｇは選択されたバックオフパラメータに関連する。図３〜８では明確に示されてはいないが、選択されたピーク補償パラメータは、無線制御装置４２の内部で実行することが可能であると理解されるであろう。
【００２１】
メモリ２０は、送信設定の共通セットに対応するグラフを、表３に示される６通りの正当な組み合わせに対応した別々のテーブルの中に記憶することができる。これらのテーブルは、テーブルグラフにおけるヌル空間を取り除くことにより圧縮することができる。選択部３２は、その時の送信設定パラメータに基づいてグラフの正しいテーブルを選択し、その時の送信設定パラメータに関する、利得比、チャネライゼーション符号の数、および／または、拡散率に基づいて選択したテーブルグラフの中における希望するテーブルに対するインデックスを算出する。それぞれの組み合わせに対するインデックスを算出するための典型的な処理について以下で議論する。
【００２２】
組み合わせ＃１は、ＤＰＣＣＨが設定され（Ｃｄ＝０）、ＨＳ−ＤＰＣＣＨが設定されず（Ｃｈｓ＝０）、そしてエンハンスドアップリンクチャネルが設定されている（Ｃｅ＝１）場合に生ずる。この組み合わせは図３に対応する。組み合わせ＃２は、ＤＰＣＣＨが設定され（Ｃｄ＝０）、ＨＳ−ＤＰＣＣＨが設定され（Ｃｈｓ＝１）、そしてエンハンスドアップリンクチャネルが設定されている（Ｃｅ＝１）場合に生ずる。この組み合わせは図４に対応する。組み合わせ＃１に対するテーブルグラフは組み合わせ＃２に対するテーブルグラフのサブセットである。従って、これら２つの組み合わせに対しては、テーブルグラフはただ１つだけでよい。例えば、Ｃｈｓが組み合わせ＃１に対して０に設定された場合（そしてそれに対応してＧＲｈｓが０に設定された場合）には、組み合わせ＃１および組み合わせ＃２の両方に対して同一のテーブルグラフを使用することができる。どちらの場合も、ＧＲｄおよびＧＲｈｓは、それぞれ１つの値だけを有する。従って、希望するグラフに対するインデックスは４個の変数に基づいて算出することができる。これら４個の変数は、エンハンスドアップリンクチャネルに対するチャネライゼーション符号の数（Ｎｃｃ）、エンハンスドアップリンクチャネルに対して使用される拡散率（ＮＳＦ）、Ｅ−ＤＰＣＣＨに対する利得比（ＧＲｅｃ）、および、ＨＳ−ＤＰＣＣＨに対する利得比（ＧＲｈｓ）である。ＮｃｃとＮＳＦとの間の依存関係によって、ＮｃｃとＮＳＦとに対する正当な組み合わせは４通りだけである。表４は正当な組み合わせを示す。ここでＮｃｃ，ｉｎｄは表４の正当な組み合わせに対するインデックスを表す。
【００２３】
【表４】
2010534991.tif 000006
【００２４】
表４のそれぞれの組み合わせに対して、１０個のＧＲｅｃの値と１０個のＧＲｈｓの値がある。従って、組み合わせ＃２に対応するテーブルグラフに対するインデックスは次式に従って算出することができる。
Ｉｎｄｅｘ２＝Ｏｆｆｓｅｔ２＋ＧＲｈｓ＋Ｎｃｃ，ｉｎｄ＜＜４＋ＧＲｅｃ＜＜６    （１）
ここで、Ｏｆｆｓｅｔ２はメモリ２０の中の組み合わせ＃２に関連したテーブルグラフに対する出発位置を表し、＜＜は左へのビットシフト操作を示す。ＧＲｈｓが０に設定された場合には式（１）は組み合わせ＃１のテーブルグラフに対するインデックスの算出にも当てはまることが理解されるであろう。
【００２５】
１０個のＧＲｅｃの値と１０個のＧＲｈｓの値があるので、パラメータを記憶するために４ビットを使用することができ、またインデックスのために１０ビットが必要である。その結果得られるインデックス空間は１，０２４個までのグラフを記憶することができる。しかしながら、組み合わせ＃１および組み合わせ＃２に対するテーブルグラフは全部で４００だけである。表中に存在する残りの６２４個の空間はヌル空間である。これは、ＧＲｅｃおよびＧＲｈｓが、それぞれ、１６個の値ではなく１０個の値だけを有するからである。組み合わせ＃１および組み合わせ＃２に対するテーブルグラフは、これらのヌル空間全てを取り除くことにより、圧縮することができる。この場合、Ｎｃｃ，ｉｎｄの範囲は［０，１，．．．，３］であり、この結果ＧＲｅｃの値は４個となる。同様に、ＧＲｈｓの範囲は［０，１，．．．，９］であるので、Ｎｃｃ，ｉｎｄ＋４＊ＧＲｅｃを１０倍することによりインデックス空間を効率よく満たすことができる。従って、組み合わせ＃２に対応する、圧縮されたテーブルグラフにおける４００個のグラフのいずれに対するインデックスも、次式に従って算出することができる。
Ｉｎｄｅｘ２＝Ｏｆｆｓｅｔ２＋ＧＲｈｓ＋Ｎｃｃ，ｉｎｄ＊１０＋ＧＲｅｃ＊４０    （２）
ＧＲｈｓが０に設定された場合には、式（２）は組み合わせ＃１のテーブルグラフに対するインデックスの算出にも当てはまることが理解されるであろう。
【００２６】
組み合わせ＃３は、ＤＰＤＣＨおよびＤＰＣＣＨが設定され（Ｃｄ＝１）、ＨＳ−ＤＰＣＣＨが設定されず（Ｃｈｓ＝０）、そしてエンハンスドアップリンクチャネルが設定されていない（Ｃｅ＝０）場合に生ずる。この組み合わせは図５に対応する。これは、ただ１つの個別チャネルのある、従来の３ＧＰＰＲｅｌ−９９のシナリオであるので、この組み合わせに対するバックオフパラメータとピーク補償パラメータとはともに０ｄＢに等しい。従って、組み合わせ＃３に対しては、グラフは必要ではない。この組み合わせに対しては、ＧＲｅｃおよびＧＲｈｓが０である場のいずれのグラフも使用することができると理解されるであろう。
【００２７】
組み合わせ＃４は、ＤＰＣＣＨおよびＤＰＤＣＨが設定され（Ｃｄ＝１）、ＨＳ−ＤＰＣＣＨが設定されず（Ｃｈｓ＝０）、そしてエンハンスドアップリンクチャネルが設定されている（Ｃｅ＝１）場合に生ずる。この組み合わせは図６に対応する。この組み合わせに対しては、ＧＲｈｓ＝０であり、テーブルグラフに対するインデックスは４個の変数に基づいて算出することができる。これら４個の変数は、ＤＰＤＣＨに対する利得比（ＧＲｄ）、エンハンスドアップリンクチャネルに対するチャネライゼーション符号の数（Ｎｃｃ）、エンハンスドアップリンクチャネルに対して使用される拡散率（ＮＳＦ）、および、Ｅ−ＤＰＣＣＨに対する利得比（ＧＲｅｃ）である。表５はＮｃｃとＮＳＦとに対する正当な組み合わせを示す。表５は表４の最初の３行に等価である。これは、Ｅ−ＤＰＤＣＨに対する４つのチャネライゼーション符号はＤＰＤＣＨを使用して送信することができないからである。
【００２８】
【表５】
2010534991.tif 000007
【００２９】
組み合わせ＃４に対応するテーブルグラフに対するインデックスは次式に従って算出することができる。
Ｉｎｄｅｘ４＝Ｏｆｆｓｅｔ４＋ＧＲｄ＋Ｎｃｃ，ｉｎｄ＜＜５＋ＧＲｅｃ＜＜７      （３）
ここに、Ｏｆｆｓｅｔ４はメモリ２０の中の組み合わせ＃４に関連するテーブルグラフに対する出発位置を示す。
【００３０】
３０個のＧＲｄの値と１０個のＧＲｅｃの値があるので、それぞれ、５ビットと４ビットを使用してこれらのパラメータを記憶することができ、インデックスのためには１１ビットが必要である。結果としてインデックス空間は２，０４８個までのグラフを記憶することができる。しかしながら、組み合わせ＃４に対するテーブルグラフは全部で９００個のグラフを有するだけである。テーブルにける残りの１，１４８個の空間はヌル空間である。組み合わせ＃４に対するテーブルグラフはこれら全てのヌル空間を取り除くことにより圧縮することができる。この場合、Ｎｃｃ，ｉｎｄの範囲は［０，１，．．．，３］であり、この結果ＧＲｅｃの値は４個となる。同様に、ＧＲｄの範囲は［０，１，．．．，２９］であるので、Ｎｃｃ，ｉｎｄ＋３＊ＧＲｅｃを３０倍することによりインデックス空間を効率よく満たすことができる。従って、組み合わせ＃４に対応する、圧縮されたテーブルグラフにおける９００個のグラフのいずれに対するインデックスも、次式に従って算出することができる。
Ｉｎｄｅｘ４＝Ｏｆｆｓｅｔ４＋ＧＲｄ＋Ｎｃｃ，ｉｎｄ＊３０＋ＧＲｅｃ＊９０      （４）
組み合わせ＃５は、ＤＰＣＣＨおよびＤＰＤＣＨが設定され（Ｃｄ＝１）、ＨＳ−ＤＰＣＣＨが設定され（Ｃｈｓ＝１）、そしてエンハンスドアップリンクチャネルが設定されていない（Ｃｅ＝０）場合に生ずる。この組み合わせは図７に対応する。この組み合わせに対してはエンハンスドアップリンクチャネルがないので、グラフ、従ってテーブルグラフが組み合わせ＃５に対しては必要ない。Ｎｃｃ，ｉｎｄ＝０およびＧＲｅｃ＝０の場合には、この組み合わせに対するいずれのバックオフパラメータとピーク補償パラメータも組み合わせ＃６に対するテーブルグラフの中から発見できることを理解されるであろう。
【００３１】
組み合わせ＃６は、ＤＰＣＣＨおよびＤＰＤＣＨが設定され（Ｃｄ＝１）、ＨＳ−ＤＰＣＣＨが設定され（Ｃｈｓ＝１）、そしてエンハンスドアップリンクチャネルが設定されている（Ｃｅ＝１）場合に生ずる。この組み合わせは図８に対応する。この組み合わせに対しては、対応するテーブルグラフに対するインデックスは５個の変数に基づいて算出される。これら５個の変数は、ＤＰＤＣＨに対する利得比（ＧＲｄ）、ＨＳ−ＤＰＣＣＨに対する利得比（ＧＲｈｓ）、エンハンスドアップリンクチャネルに対するチャネライゼーション符号の数（Ｎｃｃ）、エンハンスドアップリンクチャネルに対して使用される拡散率（ＮＳＦ）、および、Ｅ−ＤＰＣＣＨに対する利得比（ＧＲｅｃ）である。表４はＮｃｃおよびＮＳＦに対する正当な組み合わせを示す。組み合わせ＃６に対応するテーブルグラフに対するインデックスは次式に従って算出することができる。
Ｉｎｄｅｘ６＝Ｏｆｆｓｅｔ６＋ＧＲｄ＋ＧＲｈｓ＜＜５＋Ｎｃｃ，ｉｎｄ＜＜９＋ＧＲｅｃ＜＜１１            （５）
ここで、Ｏｆｆｓｅｔ６はメモリ２０の中の組み合わせ＃６に関連するテーブルグラフに対する出発位置を表す。
【００３２】
ＧＲｄの３０個の値とＧＲｈｓの１０個の値とＧＲｅｃの１０個の値があるので、インデックスのために１５ビットが必要である。結果としてインデックス空間は３２，７６８個までのグラフを記憶することができる。しかしながら、組み合わせ＃６に対するテーブルグラフは全部で９，０００個のグラフ有するだけである。テーブルグラフの中の残りの２３，７６８個の空間はヌル空間である。組み合わせ＃６に対するテーブルグラフはこれら全てのヌル空間を取り除くことにより圧縮することができる。この場合、組み合わせ＃６に対応する、圧縮されたテーブルグラフの中の９，０００個のいずれのグラフに対するインデックスも、次式に従って算出することができる。
Ｉｎｄｅｘ６＝Ｏｆｆｓｅｔ６＋ＧＲｄ＋ＧＲｈｓ＊３０＋Ｎｃｃ，ｉｎｄ＊３００＋ＧＲｅｃ＊９００        （６）
組み合わせ＃１〜＃６に対するテーブルグラフは、式（１）、（３）、および（５）に従ってインデックスを付与する場合には、１，０２４＋２，０４８＋３２，７６８＝３５，８４０個のグラフまでの空間を有する。そのうち、４００＋９００＋９，０００＝１０，３００個のグラフだけが実際に使用される。テーブルグラフの中の残りの空間は、インデックスを算出するのに必要なビットシフトおよび加算に使用される。インデックスを算出するために、式（２）、（４）、および（６）で示される乗算と加算とが使用される場合には、テーブルグラフは、１０，３００個のグラフを記憶するように圧縮できるので、さらに効率がよい。それぞれのグラフの実際の大きさは、送信設定の関数である、バックオフパラメータ、ピーク補償パラメータ、または他の任意の電力増幅器パラメータを定義するのに何ビットが使用されるかに依存する。本明細書においては明確な議論を行わなかったが、いくつかのまたは全てのグラフは、圧縮することにより、長期間記憶可能メモリ２０および／または高速メモリ３６の記憶要求条件をさらに低減することができると理解されるであろう。
【００３３】
上記で記述した本発明は、ＤＳＰ３４に最も近接して置かれた、またはＤＳＰ３４の中に置かれた高速メモリ３６の中にバックオフパラメータとピーク補償パラメータとを記憶するための記憶装置への要求条件を低減するものである。従って、本発明は、価格の点およびシリコン面積の点において、高速メモリの経費を低減するものである。さらに、上記で記述した本発明は、パラメータを圧縮した表の中にグラフとして記憶することにより、全てのバックオフパラメータとピーク補償パラメータとを記憶するための記憶装置への要求条件を低減するものである。
【００３４】
無論のことながら、本発明は、本明細書で具体的に記述したものとは異なる様式で実行することが可能であり、これらは本発明の基本的な特性から逸脱するものではない。本明細書で記述された実施形態は、全ての観点からして、例示であって限定的ではないと考慮されるべきであり、添付したクレームの意味と均等性の範囲に入る全ての変形は、本発明の中に包含されると意図される。
【図１】
2010534991.tif 000008
【図２Ａ】
2010534991.tif 000009
【図２Ｂ】
2010534991.tif 000010
【図３】
2010534991.tif 000011
【図４】
2010534991.tif 000012
【図５】
2010534991.tif 000013
【図６】
2010534991.tif 000014
【図７】
2010534991.tif 000015
【図８】
2010534991.tif 000016
【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
電力増幅器のパラメータをモバイルデバイスが備えるプロセッサに供給する方法であって、
複数の送信設定について特有の設定をされた電力増幅器パラメータのセットを第１メモリに記憶する記憶ステップと、
前記送信設定のうち選択された送信設定のサブセットに対応した前記特有の設定をされた電力増幅器パラメータを示すグラフを前記第１メモリから選択する選択ステップと、
前記選択されたグラフを、前記第１メモリから前記プロセッサに近接して配置された第２メモリに転送する転送ステップと
を有し、
前記選択されたグラフは、前記特有の設定をされた電力増幅器パラメータに対応した複数のエンハンスドデータチャネル利得比のそれぞれに関連付けられているグラフであることを特徴とする方法。
【請求項２】
前記記憶ステップは、
複数の送信設定について特有のグラフを複数の圧縮されたテーブルに格納する格納ステップを含み、前記複数の送信設定について特有のグラフのそれぞれが、前記特有の設定をされた電力増幅器パラメータに対応した複数のエンハンスドデータチャネル利得比のそれぞれに関連付けられているグラフであることを特徴とする請求項１に記載の方法。
【請求項３】
前記複数の圧縮されたテーブルのそれぞれが、送信設定パラメータの共通のセットに対応したグラフを格納していることを特徴とする請求項２に記載の方法。
【請求項４】
前記送信設定パラメータの共通のセットには、エンハンスドアップリンクチャネルの設定状態、高速制御チャネルの設定状態および専用物理データチャネルの設定状態が含まれていることを特徴とする請求項３に記載の方法。
【請求項５】
前記選択ステップは、
送信設定パラメータの現時点における共通のセットに基づいて前記第１メモリからテーブルを選択するステップと、
前記選択された送信設定のサブセットに基づいて前記選択されたテーブルについてのアドレスを算出するステップと、
前記選択されたテーブルから前記算出されたアドレスにある前記グラフを抽出するステップと
を含むことを特徴とする請求項３に記載の方法。
【請求項６】
前記第１メモリに記憶されている複数の送信設定について特有の設定をされた電力増幅器パラメータのセットには、増幅器についての最大電力のバックオフ値を定義したバックオフパラメータのセットが含まれていることを特徴とする請求項１に記載の方法。
【請求項７】
前記第１メモリに記憶されている複数の送信設定について特有の設定をされた電力増幅器パラメータのセットには、電力検出器についてのバイアス補償値を定義したピーク補償パラメータのセットが含まれていることを特徴とする請求項１に記載の方法。
【請求項８】
前記第１メモリは前記プロセッサの外部に配置されており、
前記第２メモリは前記プロセッサに内蔵されていることを特徴とする請求項１に記載の方法。
【請求項９】
モバイルデバイスであって、
複数の送信設定について特有の設定をされた電力増幅器パラメータのセットを記憶する第１メモリと、
前記送信設定のうち選択された送信設定のサブセットに対応した前記特有の設定をされた電力増幅器パラメータを示すグラフを前記第１メモリから選択するコントローラと、
前記コントローラに近接して配置され、前記選択されたグラフを前記第１メモリから受信する第２メモリと、
前記選択されたグラフからの前記特有の設定をされた電力増幅器パラメータに基づいて電力増幅器を制御する無線制御部と
を備え、前記選択されたグラフは、前記特有の設定をされた電力増幅器パラメータに対応した複数のエンハンスドデータチャネル利得比のそれぞれに関連付けられているグラフであることを特徴とするモバイルデバイス。
【請求項１０】
前記第１メモリは、複数の送信設定について特有のグラフを複数の圧縮されたテーブルに格納することによって、前記複数の送信設定について特有の設定をされた電力増幅器パラメータのセットを記憶するメモリであり、前記複数の送信設定について特有のグラフのそれぞれが、前記特有の設定をされた電力増幅器パラメータに対応した複数のエンハンスドデータチャネル利得比のそれぞれに関連付けられているグラフであることを特徴とする請求項９に記載のモバイルデバイス。
【請求項１１】
前記複数の圧縮されたテーブルのそれぞれが、送信設定パラメータの共通のセットに対応したグラフを格納していることを特徴とする請求項１０に記載のモバイルデバイス。
【請求項１２】
前記送信設定パラメータの共通のセットには、エンハンスドアップリンクチャネルの設定状態、高速制御チャネルの設定状態および専用物理データチャネルの設定状態が含まれていることを特徴とする請求項１１に記載のモバイルデバイス。
【請求項１３】
前記コントローラは、
送信設定パラメータの現時点における共通のセットに基づいて前記第１メモリからテーブルを選択し、
前記選択された送信設定のサブセットに基づいて前記選択されたテーブルについてのアドレスを算出し、
前記選択されたテーブルから前記算出されたアドレスにある前記グラフを抽出する選択部をさらに備えることを特徴とする請求項１１に記載のモバイルデバイス。
【請求項１４】
前記第１メモリに記憶されている複数の送信設定について特有の設定をされた電力増幅器パラメータのセットには、増幅器についての最大電力のバックオフ値を定義したバックオフパラメータのセットが含まれていることを特徴とする請求項９に記載のモバイルデバイス。
【請求項１５】
前記第１メモリに記憶されている複数の送信設定について特有の設定をされた電力増幅器パラメータのセットには、電力検出器についてのバイアス補償値を定義したピーク補償パラメータのセットが含まれていることを特徴とする請求項９に記載のモバイルデバイス。
【請求項１６】
前記第１メモリは前記コントローラの外部に配置されており、
前記第２メモリは前記コントローラに内蔵されていることを特徴とする請求項９に記載のモバイルデバイス。
【請求項１７】
コンピュータ可読記憶媒体であって、
複数の送信設定について特有の設定をされた電力増幅器パラメータのセットを第１メモリに記憶する記憶ステップと、
前記送信設定のうち選択された送信設定のサブセットに対応した前記特有の設定をされた電力増幅器パラメータを示すグラフを前記第１メモリから選択する選択ステップと、
前記選択されたグラフを、前記第１メモリからプロセッサに近接して配置された第２メモリに転送する転送ステップと
をコンピュータに実行させるコンピュータプログラムを記憶しており、
前記選択されたグラフは、前記特有の設定をされた電力増幅器パラメータに対応した複数のエンハンスドデータチャネル利得比のそれぞれに関連付けられているグラフであることを特徴とするコンピュータ可読記憶媒体。
【請求項１８】
前記記憶ステップは、複数の送信設定について特有のグラフを複数の圧縮されたテーブルに格納する格納ステップを含み、前記複数の送信設定について特有のグラフのそれぞれが、前記特有の設定をされた電力増幅器パラメータに対応した複数のエンハンスドデータチャネル利得比のそれぞれに関連付けられているグラフであることを特徴とする請求項１７に記載のコンピュータ可読記憶媒体。
【請求項１９】
前記第１メモリは前記プロセッサの外部に配置されており、
前記第２メモリは前記プロセッサに内蔵されていることを特徴とする請求項１７に記載のコンピュータ可読記憶媒体。
【請求項２０】
無線通信についての電力増幅器パラメータを供給する装置であって、
複数の送信設定について特有の設定をされた電力増幅器パラメータのセットを記憶する第１メモリと、
前記送信設定のうち選択された送信設定のサブセットに対応した前記特有の設定をされた電力増幅器パラメータを示すグラフを前記第１メモリから選択するコントローラと、
前記コントローラに近接して配置され、前記選択されたグラフを前記第１メモリから受信する第２メモリと
を備え、前記選択されたグラフは、前記特有の設定をされた電力増幅器パラメータに対応した複数のエンハンスドデータチャネル利得比のそれぞれに関連付けられているグラフであることを特徴とする装置。
【請求項２１】
前記第１メモリは、複数の送信設定について特有のグラフを複数の圧縮されたテーブルに格納することによって、前記複数の送信設定について特有の設定をされた電力増幅器パラメータのセットを記憶するメモリであり、前記複数の送信設定について特有のグラフのそれぞれが、前記特有の設定をされた電力増幅器パラメータに対応した複数のエンハンスドデータチャネル利得比のそれぞれに関連付けられているグラフであることを特徴とする請求項２０に記載の装置。
【請求項２２】
前記第１メモリは前記コントローラの外部に配置されており、
前記第２メモリは前記コントローラに内蔵されていることを特徴とする請求項２０に記載の装置。
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
電力増幅器のパラメータをモバイルデバイスが備えるプロセッサに供給する方法であって、
複数の送信設定について特有の設定をされた電力増幅器パラメータのセットを第１メモリに記憶する記憶ステップと、
前記送信設定のうち選択された送信設定のサブセットに対応した前記特有の設定をされた電力増幅器パラメータを示すグラフを前記第１メモリから選択する選択ステップと、
前記選択されたグラフを、前記第１メモリから前記プロセッサに近接して配置された第２メモリに転送する転送ステップと
を有し、
前記選択されたグラフは、前記特有の設定をされた電力増幅器パラメータに対応した複数のエンハンスドデータチャネル利得比のそれぞれに関連付けられているグラフであることを特徴とする方法。
【請求項２】
前記記憶ステップは、
複数の送信設定について特有のグラフを複数の圧縮されたテーブルに格納する格納ステップを含み、前記複数の送信設定について特有のグラフのそれぞれが、前記特有の設定をされた電力増幅器パラメータに対応した複数のエンハンスドデータチャネル利得比のそれぞれに関連付けられているグラフであることを特徴とする請求項１に記載の方法。
【請求項３】
前記複数の圧縮されたテーブルのそれぞれが、送信設定パラメータの共通のセットに対応したグラフを格納していることを特徴とする請求項２に記載の方法。
【請求項４】
前記送信設定パラメータの共通のセットには、エンハンスドアップリンクチャネルの設定状態、高速制御チャネルの設定状態および専用物理データチャネルの設定状態が含まれていることを特徴とする請求項３に記載の方法。
【請求項５】
前記選択ステップは、
送信設定パラメータの現時点における共通のセットに基づいて前記第１メモリからテーブルを選択するステップと、
前記選択された送信設定のサブセットに基づいて前記選択されたテーブルについてのアドレスを算出するステップと、
前記選択されたテーブルから前記算出されたアドレスにある前記グラフを抽出するステップと
を含むことを特徴とする請求項３に記載の方法。
【請求項６】
前記第１メモリに記憶されている複数の送信設定について特有の設定をされた電力増幅器パラメータのセットには、増幅器についての最大電力のバックオフ値を定義したバックオフパラメータのセットが含まれていることを特徴とする請求項１に記載の方法。
【請求項７】
前記第１メモリに記憶されている複数の送信設定について特有の設定をされた電力増幅器パラメータのセットには、電力検出器についてのバイアス補償値を定義したピーク補償パラメータのセットが含まれていることを特徴とする請求項１に記載の方法。
【請求項８】
前記第１メモリは前記プロセッサの外部に配置されており、
前記第２メモリは前記プロセッサに内蔵されていることを特徴とする請求項１に記載の方法。
【請求項９】
モバイルデバイスであって、
複数の送信設定について特有の設定をされた電力増幅器パラメータのセットを記憶する第１メモリと、
前記送信設定のうち選択された送信設定のサブセットに対応した前記特有の設定をされた電力増幅器パラメータを示すグラフを前記第１メモリから選択するコントローラと、
前記コントローラに近接して配置され、前記選択されたグラフを前記第１メモリから受信する第２メモリと、
前記選択されたグラフからの前記特有の設定をされた電力増幅器パラメータに基づいて電力増幅器を制御する無線制御部と
を備え、前記選択されたグラフは、前記特有の設定をされた電力増幅器パラメータに対応した複数のエンハンスドデータチャネル利得比のそれぞれに関連付けられているグラフであることを特徴とするモバイルデバイス。
【請求項１０】
前記第１メモリは、複数の送信設定について特有のグラフを複数の圧縮されたテーブルに格納することによって、前記複数の送信設定について特有の設定をされた電力増幅器パラメータのセットを記憶するメモリであり、前記複数の送信設定について特有のグラフのそれぞれが、前記特有の設定をされた電力増幅器パラメータに対応した複数のエンハンスドデータチャネル利得比のそれぞれに関連付けられているグラフであることを特徴とする請求項９に記載のモバイルデバイス。
【請求項１１】
前記複数の圧縮されたテーブルのそれぞれが、送信設定パラメータの共通のセットに対応したグラフを格納しており、
前記送信設定パラメータの共通のセットには、エンハンスドアップリンクチャネルの設定状態、高速制御チャネルの設定状態および専用物理データチャネルの設定状態が含まれていることを特徴とする請求項１０に記載のモバイルデバイス。
【請求項１２】
前記コントローラは、
送信設定パラメータの現時点における共通のセットに基づいて前記第１メモリからテーブルを選択し、
前記選択された送信設定のサブセットに基づいて前記選択されたテーブルについてのアドレスを算出し、
前記選択されたテーブルから前記算出されたアドレスにある前記グラフを抽出する選択部をさらに備えることを特徴とする請求項１１に記載のモバイルデバイス。
【請求項１３】
前記第１メモリは前記コントローラの外部に配置されており、
前記第２メモリは前記コントローラに内蔵されていることを特徴とする請求項９に記載のモバイルデバイス。
【請求項１４】
コンピュータ可読記憶媒体であって、
複数の送信設定について特有の設定をされた電力増幅器パラメータのセットを第１メモリに記憶する記憶ステップと、
前記送信設定のうち選択された送信設定のサブセットに対応した前記特有の設定をされた電力増幅器パラメータを示すグラフを前記第１メモリから選択する選択ステップと、
前記選択されたグラフを、前記第１メモリからプロセッサに近接して配置された第２メモリに転送する転送ステップと
をコンピュータに実行させるコンピュータプログラムを記憶しており、
前記選択されたグラフは、前記特有の設定をされた電力増幅器パラメータに対応した複数のエンハンスドデータチャネル利得比のそれぞれに関連付けられているグラフであることを特徴とするコンピュータ可読記憶媒体。
【請求項１５】
無線通信についての電力増幅器パラメータを供給する装置であって、
複数の送信設定について特有の設定をされた電力増幅器パラメータのセットを記憶する第１メモリと、
前記送信設定のうち選択された送信設定のサブセットに対応した前記特有の設定をされた電力増幅器パラメータを示すグラフを前記第１メモリから選択するコントローラと、
前記コントローラに近接して配置され、前記選択されたグラフを前記第１メモリから受信する第２メモリと
を備え、前記選択されたグラフは、前記特有の設定をされた電力増幅器パラメータに対応した複数のエンハンスドデータチャネル利得比のそれぞれに関連付けられているグラフであることを特徴とする装置。
【国際調査報告】
2010534991.tif 000017
2010534991.tif 000018
2010534991.tif 000019